(57)【特許請求の範囲】
【請求項１】
片手で把持可能にされる容器本体部と、該容器本体部の上面に設けられて内容物を注出するための注出口部を有するボトル容器であって、
前記容器本体部を片手で把持する際に、当該容器本体部に、第１指が接する第１側面と、該第１側面と相対するように設けられ、他の指が接する第２側面と、第１側面と第２側面とをつなぐように設けられる第３側面を有するとともに、
前記容器本体部に、第１側面及び第２側面に形成される両側の平坦部と、第１側面、第２側面及び第３側面に渡るように連続して形成されて前記両側の平坦部同士をつなぐ曲面部と、少なくとも第１側面及び第２側面に形成されて手の上縁部が当接し得る上端起立部を有する把持部が形成され、
前記把持部が、前記平坦部と前記曲面部の境界に凸条部を形成し、
前記把持部における第１側面と第２側面とがなす容器本体幅を、両側面の相対する前記凸条部の間で最大幅とし、両側面の相対する平坦部の間で該凸条部から離れる側に向けて漸減するとともに、
前記把持部が、前記凸条部を境界として前記曲面部以外の部分の肉厚を該曲面部の肉厚より薄くするボトル容器。
【請求項２】
前記把持部の前記平坦部における前記凸条部から一定長さ離れた部分に副凸条部を形成してなる請求項１に記載のボトル容器。
【請求項３】
前記把持部が前記第１側面、第２側面及び第３側面に渡るように連続して形成され手指を納め得る凹部を有し、
前記把持部の凹部が有する曲面中央部の長さを、成人の統計的な最小手幅とする請求項１又は２に記載のボトル容器。
【請求項４】
前記把持部の凹部が有する曲面中央部が前記容器本体部の底面に対して略垂直をなす請求項３に記載のボトル容器。
【請求項５】
前記注出口部が前記第３側面に向かって開口している注出筒を有する請求項１〜４のいずれかに記載のボトル容器。
【請求項６】
前記把持部が、少なくとも第１側面及び第２側面に形成され、手の下縁部が当接し得る下端起立部を更に有し、
前記上端起立部は前記凹部の平坦部及び曲面部から略直角又は鈍角の傾斜角度で前記第１側面、第２側面及び第３側面の各上凸部へ向けて立ち上がる部分であり、
前記下端起立部は前記凹部の平坦部及び曲面部から鈍角の傾斜角度で第１側面、第２側面及び第３側面の各下凸部へ向けて立ち下がる部分であり、
前記把持部の凹部が、第３側面の上凸部と下凸部の間に、前記手の上縁部が前記上端起立部に当接し、かつ手の下縁部が前記下端起立部に当接することができる長さの曲面中央部を、前記曲面部の中央に有する請求項３〜５のいずれかに記載のボトル容器。
【請求項７】
前記容器本体部が400mL〜2000mLの容量をなす請求項１〜６のいずれかに記載のボトル容器。
【発明の詳細な説明】
【技術分野】
【０００１】
本発明は液体洗剤、柔軟剤、漂白剤等のためのボトル容器に関する。
【背景技術】
【０００２】
大容量で重量の重いボトル容器であって、取手を有さずに、持ち易さや注ぎ易さを考慮したボトル容器として、特許文献１、２に記載のものがある。
【０００３】
特許文献１に記載のボトル容器は、片手で把持可能にされる容器本体部の側壁部に、手指が引掛り可能な容器保持部を設けたものである。手指が引掛りによって、容器に落下抵抗を作用させる。
【０００４】
特許文献２に記載のボトル容器は、四角断面の容器本体部の縦方向の中央に溝状把持部を設けるとともに、該溝状把持部の周方向中央部に深さの異なる第１と第２の溝を設けたものである。
【先行技術文献】
【特許文献】
【０００５】
【特許文献１】特開平9-255058
【特許文献２】特開2005-88973
【発明の概要】
【発明が解決しようとする課題】
【０００６】
特許文献１に記載のボトル容器は、容器保持部における容器本体幅が指先に向かって漸減しておらず、手の大きい人が容器保持部を把持したとき、指先が外側に向けて広がってしまい、容器を滑り落とすおそれがある。
【０００７】
特許文献２に記載のボトル容器は、溝状把持部が設けられる容器本体部が四角断面をなし、手とのフィット感が低い。また、容器本体部のどの側面からみても、同じ形状であり、注出口の注ぎ出し方向が特定されているボトル容器では、容器を持ち直す動作が必要になることがある。
【０００８】
本発明の課題は、大容量で重量の重いボトル容器でも、手の大きさや指の長さに関係なく、持ち易さと注ぎ易さを向上することにある。
【課題を解決するための手段】
【０００９】
請求項１の発明は、片手で把持可能にされる容器本体部と、該容器本体部の上面に設けられて内容物を注出するための注出口部を有するボトル容器であって、前記容器本体部を片手で把持する際に、当該容器本体部に、第１指が接する第１側面と、該第１側面と相対するように設けられ、他の指が接する第２側面と、第１側面と第２側面とをつなぐように設けられる第３側面を有するとともに、前記容器本体部に、第１側面及び第２側面に形成される両側の平坦部と、第１側面、第２側面及び第３側面に渡るように連続して形成されて前記両側の平坦部同士をつなぐ曲面部と、少なくとも第１側面及び第２側面に形成されて手の上縁部が当接し得る上端起立部を有する把持部が形成され、前記把持部が、前記平坦部と前記曲面部の境界に凸条部を形成し、前記把持部における第１側面と第２側面とがなす容器本体幅を、両側面の相対する前記凸条部の間で最大幅とし、両側面の相対する平坦部の間で該凸条部から離れる側に向けて漸減するとともに、前記把持部が、前記凸条部を境界として前記曲面部以外の部分の肉厚を該曲面部の肉厚より薄くするようにしたものである。
【発明の効果】
【００１０】
本発明によれば、片手の各指及び手の平全体で容器本体部を確実に把持でき、大容量で重量の重いボトル容器でも、手の大きさや指の長さに関係なく、持ち易さと注ぎ易さを向上することができる。
【図面の簡単な説明】
【００１１】
【図１】図１は実施例１のボトル容器を示す正面図である。
【図２】図２は図１の側面図である。
【図３】図３は図１のIII−III線に沿う断面図である。
【図４】図４はボトル容器を手で把持した状態を示す背面図である。
【図５】図５はボトル容器を手で把持した状態を示す正面図である。
【図６】図６はボトル容器を手で把持した状態を示す断面図である。
【図７】図７は実施例２のボトル容器を示す正面図である。
【図８】図８は図７の側面図である。
【図９】図９は図７のIX−IX線に沿う断面図である。
【図１０】図１０は実施例３のボトル容器を示す正面図である。
【図１１】図１１は図１０の側面図である。
【図１２】図１２は図１０のXII−XII線に沿う断面図である。
【図１３】図１３は実施例４のボトル容器を示す正面図である。
【図１４】図１４は図１３の側面図である。
【図１５】図１５は図１３のXV−XV線に沿う断面図である。
【図１６】図１６は図１３のXVI−XVI線に沿う断面図である。
【発明を実施するための形態】
【００１２】
以下本発明を、その好ましい実施形態に基づき図面を参照しながら説明する。各図中、同一符号は同一又は同等の構成要素を表している。
【００１３】
（実施例１）（図１〜図６）
図１〜図６に示すボトル容器１０は、大容量で重量が重くても、取手を有さずに、持ち易さや注ぎ易さを考慮したものである。ボトル容器１０は、片手で把持可能にされる容器本体部２０と、容器本体部２０の上面（上部の開口部）２０Ａに設けられて液体洗剤等の内容物を注出するための注出口部５０を有する。容器本体部２０は、例えば2000mLの大容量をなす。容量に関しては、小容量であっても当然にして本発明の効果を得ることができるが、400mL以上の容量、とりわけ600mL以上の容量の容器において、他の形態の容器と比較して、本発明の効果が明確となる。注出口部５０は、容器本体部２０の開口部に取着される注出筒５１により構成される。ボトル容器１０は、容器本体部２０、注出口部５０（注出筒５１）を合成樹脂の成形体により構成している。
【００１４】
ボトル容器１０は、容器本体部２０を片手（図４、図５の場合は右手）で把持する際に、第１指が接する第１側面２１と、第１側面２１と相対するように設けられ、第２指から第５指が接する第２側面２２と、第１側面２１と第２側面２２とをつなぐように設けられ、手の平に沿う第３側面２３と、第３側面２３と対向する面を第４側面２４とを有する。
【００１５】
本実施例の容器本体部２０は、横断面形状を図３に示す如き長円形状（第３側面２３の側よりも第４側面２４の側において狭幅になるたまご型の長円形状）とし、その長軸方向に沿う両側面を第１側面２１と第２側面２２とし、その長軸に直交する方向に沿う一側面を第３側面２３とする。即ち、当該各側面は、図１に示すように、底面２０Ｂを下側にしたときに、容器本体部２０の上下方向に設けられている。
【００１６】
ここで、本願明細書では、親指を第１指と称し、以下、人指し指を第２指、中指を第３指、薬指を第４指、小指を第５指と称する。
【００１７】
また、指が接するとは、指先及び／又は指の腹部が各側面に接することを意味する。一方、手の平に沿うとは、手の平が必ずしも接することを意味するものではなく、把持する際に容器側面と手の平の間に空間があっても良い。ここでは、右手で把持する状態を例示しているが、左手で本願ボトル容器を把持した場合には、第１側面は図２、図３の符号２２の部分を指し、第２側面は符号２１の部分を指す。
【００１８】
容器本体部２０には、第１側面２１及び第２側面２２に形成される両側の平坦部３１と、第１側面２１、第２側面２２及び第３側面２３に渡るように連続して形成されて両側の平坦部３１同士をつなぐ曲面部３２と、第１側面２１及び第２側面２２に形成されて手６０の第１指及び第２指を含む上縁部６１が当接し得る上端起立部３３を有する把持部３０が形成される。即ち、把持部３０は、図３の周方向に形成される。ここで、「手の上縁部が当接し得る上端起立部」とは、図４及び図５に示すように容器本体部２０を把持したときに、又は容器本体部２０を把持して持ち上げたときに、手の上縁部６１が当接することができる上端起立部３３のことである。
【００１９】
ボトル容器１０の把持部３０は、平坦部３１と曲面部３２の境界に凸条部４１を形成する。凸条部４１は、図３に示す断面視の第１側面２１と第２側面２２上で、平坦部３１と曲面部３２が会合して外方に凸をなす折れ線（山の稜線）の如くをなし、容器本体部２０を把持し、傾けて内容物を注ぎ出すときの手指（小さ目の手であれば手指の指先）の滑り止めとなる部分である。
【００２０】
更に、ボトル容器１０の把持部３０には、平坦部３１における上記凸条部４１から一定長さ離れた部分に副凸条部４２を形成することが望ましい。副凸条部４２は、図３に示す断面視の第１側面２１と第２側面２２上で、平坦部３１の凸条部４１から第４側面部２４に向かう方向の中間部で外方に凸をなす折れ線（山の稜線）の如くをなし、容器本体部２０を把持し、傾けて内容物を注ぎ出すときの手指の指先の滑り止めとなる部分である。例えば、図６に示すように、第１実施形態の容器の把持部３０を右手で把持した状態では、凸条部４１が手指の第２関節付近に位置し、副凸条部４２は手指の第１関節付近に位置するように形成することが望ましい。
【００２１】
また、ボトル容器１０の把持部３０は、図３に示す如く、第１側面２１と第２側面２２とがなす容器本体幅を、両側面２１、２２の相対する凸条部４１、４１の間で最大幅Ｗ1とし、両側面２１、２２の相対する平坦部３１、３１の間で該凸条部４１から離れる側に向けて漸減する。従って、両側面２１、２２の相対する副凸条部４２、４２の間の容器本体幅をＷ2とするとき、Ｗ1＞Ｗ2になる。そのため、第１側面２１に接する第１指と、第２側面２２に接する他の指が、それらの指先で互いにより近づくように容器本体部２０の平坦部３１の第１側面２１と第２側面２２に回り込み、それらの両側面２１、２２の各平坦部を容易に容器本体部２０の内側向きにへこみ変形させて安定把持可能にするものである。
【００２２】
一方、ボトル容器１０は、把持部３０において、第１側面２１と第２側面２２が第３側面２３と対向する側で直接つながり、それらの平坦部３１同士をつなぐ小曲率部（大曲率半径）３５を形成する。いいかえると、第１側面２１と第２側面２２は、第３側面２３と対向する第４側面２４を介してつながっている。この第４側面２４は平坦状又は曲面状にすることができる。
【００２３】
ボトル容器１０の把持部３０において、平坦部３１は第１側面２１又は第２側面２２から側面視したときに、当該ボトル容器に規定量の内容物（例えば当該ボトルが“内容量１リットル”として販売される場合には、規定量は“１リットル”となる）が充填されている場合の重心位置Ｇを含む位置に設けられることが好ましい（図１）。かかる位置に平坦部３１が設けられていると、大容量で重量の重いボトル容器であっても、把持し易く、計量キャップに内容物を注ぎ易くなる。
【００２４】
把持部３０の形は、手で容器本体を把持したときの手の形に準じた形状となるように、第３側面２３側が幅広く、小曲率部３５側が幅狭になっていることが好ましい。把持部３０をかかる形状とすることにより、本発明容器１０の使用者が自然と第３側面２３に手の平を沿わせ、次いで第１指を第１側面２１に接触させ、第２指から第５指を第２側面２２に接触させてから把持するようになる（図５、図６）。このとき、内容物の注ぎ易さの観点で注出口部５０の注出筒５１が前記第３側面２３に向かって開口している開口５１Ａを有することが好ましい。尚、図４〜図６において、６０は手、６１は手の上縁部、６２は手の下縁部を示す。
【００２５】
把持部３０は、凸条部４１を境界として曲面部３２以外の部分の肉厚を曲面部３２の肉厚みより薄くすることが望ましい。例えば、ボトル容器１０のキャップを開栓したときに、把持部３０のうち変形し難い曲面部３２に対し、それ以外の平坦部３１を含む部分を薄くすることにより、手の把持力に従って指先が更に回りこみ易いように容器本体部２０の内側に変形し易くなり、大容量で重量の重いボトル容器１０であっても、握り易くなり、従って把持し易く、内容物を注ぎ易くなる。
【００２６】
また、ブロー成形等された汎用的な容器（本願発明のボトル容器以外の容器）に内容物として界面活性剤入りの洗剤等を充填した場合に、キャップが閉められた状態で一定期間ボトル容器１０を放置しておくと、当該容器ヘッドスペース中の酸素が界面活性剤に吸収され、容器内部が負圧となり容器が変形する場合がある。一方、本願発明のボトル容器１０の場合には、凸条部４１を曲面部３２との境界とし、凸条部４１を挟んで曲面部３２の反対側に延びる平坦部３１と、曲面部３２と対向する曲率部３５を設けることにより、容器の曲面部３２以外は積極的に変形し易くなり、ボトル容器１０全体の外観を保つことができる。即ち、負圧によりボトル容器１０にバックリング現象（へこみ現象）が発生しても、平坦部３１は平坦を維持しながら容器内側に変形するため、ボトル容器１０全体の外観に大きく影響を及ぼさない効果を有し、減圧変形吸収パネルとしての役割も果たすことができる。尚、平坦部３１は曲面部３２と比較して平坦であれば良く、完全な平坦である必要はない。
【００２７】
把持部３０の大きさは、最大幅方向長さＬ1が30mm〜50mm、また最大幅方向で凸状部４１を介して最大幅方向長さＬ1と反対方向（曲面部側）の長さＬ2が25mm〜35mm、両側面２１、２２の最大幅Ｗ1を相対する凸条部４１、４１の間で40〜70mm、および曲面部３２の実質長さＲ1（第１側面の凸条部４１から曲面部３２を通り、第２側面部の凸条部４１までの実際の距離）を85〜95mmとすることが好ましい。本発明では、容器本体部２０を把持し、傾けて内容物を注ぎ出す操作を行なうため、把持部３０において曲面部３２に沿わせた手指の指先が一対の対向する平坦部３１上で容器本体部２０をしっかり挟持する観点から、相対する凸条部４１、４１間の最大幅Ｗ1と曲面部３２の実質長さＲ1を上記範囲にすることが好ましい。例えば、最大幅Ｗ1は内容物の容量が大きくなると長くなるが、その場合、実質長さＲ1は手の大きさにより無限ではないので、曲面部３２の半径は大きくなり、曲面部３２に対応する幅方向長さＬ2は短くなる。一方、最大幅Ｗ1が短くなると、曲面部３２の半径は小さくなり、曲面部３２に対応する幅方向長さＬ2は長めになる。特に大容量で重量の重いボトル容器１０であっても、把持し易く、内容物を注ぎ易い観点から、最大幅Ｗ1を50〜60mm、最大幅方向の長さＬ2を28〜33mmとすることが好ましい。
【００２８】
また、最大縦方向長さＹは、後述の曲面中央部３２Ａの長さＨと同様に成人の統計的な最小手幅を考慮すると、50mm〜70mmの範囲であれば、大容量で重量の重いボトル容器１０であっても、把持し易く、内容物を注ぎ易い。
【００２９】
ボトル容器１０の把持部３０は、第１側面２１と第２側面２２のそれぞれに手指を納め得る凹部３０Ａを有する。ここで「手指を納め得る（手指をかける）凹部」とは、図４及び図５に示すように容器本体部２０を把持したときに、第１指乃至第５指及び手の平を接触させて納めることができる凹部のことである。
【００３０】
把持部３０において、上端起立部３３は、凹部３０Ａの平坦部３１及び曲面部３２から略直角（容器本体部２０の底面２０Ｂに対して略垂直をなす）又は鈍角の傾斜角度で、第１側面２１、第２側面２２の各上凸部２１Ａ、２２Ａへ向けて立ち上がる部分である。即ち、上端起立部３３は、第３側面２３から側面視したときに、平坦部３１及び曲面部３２から略直角又は鈍角の傾斜角度θ１で第１側面２１又は第２側面２２の上凸部２１Ａ、２２Ａへ向けて立ち上がる部分である（図２）。ここで、上凸部２１Ａ、２２Ａとは、前記各側面において、上端起立部３３より上部に位置する部分のことをいう。
【００３１】
前記傾斜角度θ１を略直角又は鈍角の傾斜角度にすることで、把持した際、手６０の上縁部６１が上端起立部３３に引っ掛かり、当該容器１０を持ち上げ易くなり、把持性が良好になる。尚、当該上端起立部３３は、当該容器１０を把持して持ち上げた場合の手６０の上縁部６１が当接する部分であるので、把持の基準位置となる。
【００３２】
当該傾斜角度θ１は、容器１０を持ち上げ易くする観点から凡そ90度であることが好ましいが、容器１０の成形後に離型し易くするために、いわゆる抜き勾配を考慮することもでき、さらに容器１０を成形する際に金型の隅々までに溶融した樹脂を行き渡らせて、部分的に容器厚みが薄くなることを防止する考慮を行うこともできる。係る場合には当該傾斜角度θ１は90〜150度が好ましく、100〜150度がより好ましく、125〜140度が更に好ましい。ここで、θ１は、凸条部４１と副凸条部４２との中央部か、又は副凸状部４２のない場合は重心位置Ｇを通る線が上端起立部３３と交わる部分での角度である。
【００３３】
本実施例では、上記上端起立部に加え、第５指を含む手の下縁部６２が当接し得る下端起立部３４を更に有している。下端起立部３４は、第１側面２１及び第２側面２２に、第５指の指先側に向けて段差が深くなるように形成される。当該下端起立部３４は、大重量の容器本体部２０を傾けて内容物を注ぎ出すときに、下端起立部３４が第５指の指先側の段差が深くなるように沿うことで、手の平の下側に位置する第５指側で滑りを防止するストッパの役割を果たし、内容物を注ぎ出し易くなる観点で好ましい。
【００３４】
尚、本実施例のボトル容器１０の把持部３０を、ポリプロピレン、ポリエチレンテレフタレートやポリスチレン等のシュリンクラベルで包み込むことにより、当該ラベルが滑り止めとなって、ボトル容器１０の把持性が更に向上し、更にデコレーション性も向上する。
【００３５】
従って、本実施例１のボトル容器１０によれば以下の作用効果を奏する。
(a)容器本体部２０に、第１側面２１及び第２側面２２に形成される両側の平坦部３１と、第１側面２１、第２側面及び第３側面２３に渡るように連続して形成されて前記両側の平坦部３１同士をつなぐ曲面部３２と、第１側面２１及び第２側面２２に形成されて手６０の上縁部６１が当接し得る上端起立部３３を有する把持部３０が形成され、把持部３０が、平坦部３１と曲面部３２の境界に凸条部４１を形成する。また、把持部３０における第１側面２１と第２側面２２とがなす容器本体幅を、両側面２１、２２の相対する凸条部４１、４１の間で最大幅Ｗ1とし、両側面２１、２２の相対する平坦部３１、３１の間で該凸条部４１から離れる側に向けて漸減する。従って、片手の第１指が容器本体部２０の把持部３０を構成する第１側面２１に接し、他の指が容器本体部２０の把持部３０を形成する第２側面２２に接する容器１０の把持状態で、(i)第１指と他の指のそれぞれが把持部３０の凸条部４１に引掛かり、各指の滑りを防止し、(ii)それらの指が接する把持部３０の第１側面２１と第２側面２２とがなす容器本体幅を上記凸条部４１から離れる側に向けて漸減していることにより、第１指と他の指がそれらの指先の側で互いにより近づくように容器本体部２０の把持部３０の第１側面２１と第２側面２２に回り込み、それらの両側面２１、２２の曲面部３２を除く上記凸条部４１から離れる側において容易に容器本体部２０の内側向きにへこみ変形させて把持する。これにより、片手の手指の指先及び指の腹部で容器本体部２０を確実に把持でき、大容量で重量の重いボトル容器１０でも、手の大きさや指の長さに関係なく、手とのフィット感を向上し、持ち易さと注ぎ易さを向上させることができる。片手で把持した容器本体部２０を傾けて内容物を注ぎ出すときに、各指から容器本体部２０が逃げて滑り落ちることを防止し、傾けた容器本体部２０を安定把持して注ぎ出し性を向上できる。
【００３６】
(b)把持部３０の上端起立部３３が凹部３０Ａの平坦部３１及び曲面部３２から略直角又は鈍角の傾斜角度で各上凸部２１Ａ、２２Ａへ向けて立ち上がる。従って、上端起立部３３が手指を容器本体部２０に添える把持位置の基準になり、かつ本発明のボトル容器１０を持ち上げるときにその重量が上端起立部３３を介して手の上縁部によって支持されることになるのでボトル容器１０を持ち上げ易い。
【００３７】
(c)把持部３０の上端起立部３３が容器本体部２０の底面２０Ｂに対して略平行をなす。大容量で重量が重いボトル容器１０も持ち上げ易く、無理のない力で注ぎ出しできる。
【００３８】
(d)把持部３０の平坦部３１における凸条部４１から一定長さ離れた部分に副凸条部４２を形成している。これにより、第１指の指先と他の指の指先のそれぞれが把持部３０の副凸条部４２に引掛かり、各指の滑りを一層確実に防止する。片手で把持した容器本体部２０を傾けて内容物を注ぎ出すときに、各指から容器本体部２０が逃げることを一層確実に防止し、手の大きさに関係なく、傾けた容器本体部２０を安定把持して注ぎ出し性を一層向上できる。
【００３９】
(e)ボトル容器１０が、第１側面２１と第２側面２２が第３側面２３と対向する側と、それらの平坦部３１同士を小曲率部（大曲率半径）３５でつないだことにより、第１指と他の指がそれらの第１側面２１と第２側面２２を把持する把持力に対する突張り剛性が大きくなる。それらの両側面２１、２２は小曲率部３５を除く範囲で変形し易いものになる。
【００４０】
(f)注出口部５０が第３側面２３に向かって開口している注出筒５１を有する。従って、容器本体部２０の把持方向及び注ぎ出し方向が明確になる。
【００４１】
(g)400mL〜2000mLの大容量のボトル容器１０において、上述(a)〜(f)を実現できる。
【００４２】
（実施例２）（図７〜図９）
図７〜図９に示した本実施例２のボトル容器１０が図１〜図６に示した前記実施例１のボトル容器１０と異なる点は、把持部３０が平坦部３１を単一平坦面にして副凸条部４２を形成しないものにし、平坦部３１と曲面部３２の境界にだけ凸条部４１を形成するものとしたことにある。
【００４３】
従って、本実施例２のボトル容器１０によれば、前記実施例１のボトル容器１０における前述(a)〜(c)、(e)〜(f)の作用効果を奏する。
【００４４】
（実施例３）（図１０〜図１２）
図１０〜図１２に示した本実施例３のボトル容器１０が図１〜図６に示した前記実施例１のボトル容器１０と異なる点は、把持部３０が第１側面２１、第２側面２２及び第３側面２３に渡るように連続して形成され手指を納め得る凹部３０Ａを有するものとしたこと（第３側面２３にも上端起立部３３を有し、把持部３０の手指を収め得る凹部３０Ａが、第１側面２１から第３側面２３、そして第２側面２２を渡るように形成されていること）、また、第３側面２３と対向する第４側面２４で、それらの平坦部３１同士を大曲率部（小曲率半径）３５Ｒでつないだことにある。両側面２１、２２は大曲率部３５Ｒを含む範囲で変形し易いものになる。
【００４５】
本実施例３では、上端起立部３３は、実施例１、２と同様に第１側面２１及び第２側面２２に形成されるとともに、第３側面２３に形成されており、凹部３０Ａの平坦部３１及び曲面部３２から略直角又は鈍角の傾斜角度で、第１側面２１、第２側面２２及び第３側面２３の各上凸部２１Ａ、２２Ａ、２３Ａへ向けて立ち上がる部分になる。また、下端起立部３４は、第１側面２１、第２側面２２及び第３側面２３に形成され、凹部３０Ａの平坦部３１及び曲面部３２から鈍角の傾斜角度で第１側面２１、第２側面２２及び第３側面２３の各下凸部２１Ｂ、２２Ｂ、２３Ｂへ向けて立ち下がる部分になる。
【００４６】
更に、把持部３０の凹部３０Ａは、第３側面２３の上凸部２３Ａと下凸部２３Ｂの間に、第１指の先端から第２指の先端に渡る手の上縁部６１が上端起立部３３に当接し、かつ第５指を含む手の下縁部６２が下端起立部３４に当接することができる長さＨ（図１０、図１１）の曲面中央部３２Ａを、曲面部３２の中央（容器本体部２０の横断面の外周に沿う方向における曲面部３２の中央）に有する。曲面部３２の中央は、当該容器１０を成形する際の金型パーティングラインＰと略一致する。従って、前記長さＨは、金型パーティングラインＰが形成される方向（容器底面２０Ｂから注出口部５０に向う縦方向）の、凹部３０Ａの上端から下端までの長さ（第３側面２３から側面視したときの投影長さ）である。
【００４７】
容器本体部２０にあっては、把持部３０の凹部３０Ａが有する曲面中央部３２Ａの長さＨを、成人の統計的な最小手幅（例えば65.5mm）とし、曲面中央部３２Ａの長さＨに下端起立部３４の長さＫ（図１０、図１１）を加えた長さを、成人の統計的な最大手幅（例えば95.0mm）とする。尚、成人の統計的な最小手幅は、例えば「設計のための人体寸法データ集」便覧（通商産業省工業技術院生命工学工業技術研究所編、1996年発行、195頁）に基づくことができる。本実施例では、曲面中央部３２Ａの長さＨは、上述の最大縦方向長さＹと同様に50mm〜70mmの範囲であれば良い。また長さＫは、第３側面２３から側面視したときの投影長さである。
【００４８】
容器本体部２０にあっては、把持部３０の凹部３０Ａが有する曲面中央部３２Ａが、容器本体部２０の底面２０Ｂに対して略垂直をなすことが、手の平が第３側面と密着できて容器を持ち上げ易くなる観点から好ましい。また、把持部３０の上端起立部３３が、容器本体部２０の底面２０Ｂに対して略平行をなすことが、手６０の上縁部６１が上端起立部３３に当接して容器を持ち上げ易くなる観点から好ましい。
【００４９】
下端起立部３４は、第３側面２３から側面視したときに、平坦部３１及び曲面部３２から鈍角の傾斜角度θ２で第１側面２１又は第２側面２２の下凸部２１Ｂ、２２Ｂへ向けて立ち下がる部分である（図１１）。鈍角の傾斜角度にすることで、手の大小に関係なく、重量がある容器１０を把持して傾けるときに、下端起立部３４を第５指の手の滑りを防止するストッパとすることができる。即ち、傾斜角度θ２を鈍角とすることで、下端起立部３４の幅が広くなり、容器１０を持ち上げた際に手６０の上縁部６１が把持の基準位置である上端起立部３３に当接したときに、手の大小に関係なく、手６０の下縁部６２が下端起立部３４に当接し、第５指の手の滑りを防止するストッパとすることができるのである。第５指の手の滑りが発生すると、容器１０を傾けて内容物を注ぎ出す際に不安定となり、場合によっては内容物をこぼしてしまう場合がある。
【００５０】
当該傾斜角度θ２は、手の大小に関係なく、第５指の滑りを防止可能にする観点から、150度〜170度が好ましく、160度〜170度が特に好ましく、160度〜165度が更に好ましい。
【００５１】
従って、本実施例３のボトル容器１０によれば、前記実施例１のボトル容器１０における前述(a)〜(d)、(f)、(g)の作用効果に加え、以下の作用効果を奏する。
【００５２】
(h)把持部３０の凹部３０Ａが、手の平が沿う第３側面２３の側にまで連続し、第３側面２３の上凸部２３Ａと下凸部２３Ｂの間に、第１指の先端から第２指の先端に渡る手の上縁部が上端起立部３３に当接し、かつ第５指を含む手の下縁部が下端起立部３４に当接することができる長さＨの曲面中央部３２Ａを、曲面部３２の中央に有するものとした。手指の全体で容器本体部２０を把持し、指の付け根部の上縁部と下縁部まで上端起立部３３と下端起立部３４のそれぞれに確実に当接させ、ボトル容器１０を滑り落としにくく、持ち上げ易く、注ぎ出し易くできる。
【００５３】
(i)把持部３０の凹部３０Ａが有する曲面中央部３２Ａの長さＨを、成人の統計的な最小手幅とし、曲面中央部３２Ａの長さＨに下端起立部３４の長さＫを加えた長さを、成人の統計的な最大手幅とする。これにより、手の大きさに関係なく、ボトル容器１０を持ち上げ易く、注ぎ出し易くできる。
【００５４】
(j)把持部３０の凹部３０Ａが有する曲面中央部３２Ａが容器本体部２０の底面２０Ｂに対して略垂直をなす。ボトル容器１０の持ち上げ時及び注ぎ出し時に、手の平と容器本体部２０との間に隙間を生じにくく、ボトル容器１０を持ち上げ易く、注ぎ出し易くできる。
【００５５】
(k)ボトル容器１０が、第１側面２１と第２側面２２が第３側面２３と対向する側で、それらの平坦部３１同士を大曲率部（小曲率半径）３５Ｒでつないだことにより、それらの平坦部３１同士を小曲率部（大曲率半径）３５でつないだもの（図３）に比し、第１指と他の指がそれらの第１側面２１と第２側面２２を把持する把持力に対する突張り剛性が小さくなる。それらの両側面２１、２２を大曲率部３５Ｒを含む範囲で容易に容器本体部２０の内側向きにへこみ変形させ、容器本体部２０を確実に把持できる。
【００５６】
（実施例４）（図１３〜図１６）
図１３〜図１６に示した本実施例４の容器１００は、ボトル容器１０と同様に、片手で把持可能にされる容器本体部２０と、該容器本体部２０の上面に設けられて内容物を注出するための注出口部５０を有する。また、容器本体部２０を片手で把持する際に、当該容器本体部２０に、第１指が接する第１側面２１と、該第１側面２１と相対するように設けられ、他の指が接する第２側面２２と、第１側面２１と第２側面２２とをつなぐように設けられる第３側面２３と、第３側面２３と対向する面を第４側面２４とを有し、第１側面２１及び第２側面２２に形成される両側の平坦部３１と、第１側面２１、第２側面２２及び第３側面２３に渡るように連続して形成されて前記両側の平坦部３１同士をつなぐ曲面部３２とを有する把持部３０が形成される。把持部３０は、第１側面２１、第２側面２２及び第３側面２３に渡るように連続して形成され、手指を納め得る凹部３０Ａを有する。また、容器本体部２０は、第１側面２１と第２側面２２が第３側面２３と対向する側と、それらの平坦部３１同士を小曲率部（大曲率半径）３５でつないでいる。
【００５７】
しかるに、ボトル容器１００がボトル容器１０と異なる点は、以下の通りである。
まず、ボトル容器１００において、把持部３０は、平坦部３１と曲面部３２の境界に凸条部１０１を形成するとともに、平坦部３１における凸条部１０１から第４側面２４の側に一定長さ離れた部分に副凸条部１０２を形成する。把持部３０における第１側面２１と第２側面２２とがなす容器本体幅を、両側面２１、２２の相対する凸条部１０１、１０１の間で最大幅Ｗ1とし、両側面２１、２２の相対する平坦部３１、３１の間で該凸条部１０１から離れる側に向けて漸減する。従って、両側面２１、２２の相対する副凸条部１０２、１０２の間の容器本体幅をＷ2とするとき、Ｗ1＞Ｗ2になる。また、凸条部１０１と副凸条部１０２は、容器本体部２０の側面視で、容器本体部２０の側面（２１、２２）の中央を挟む両側に、相互に線対称をなすように設けられる。
【００５８】
凸条部１０１と副凸条部１０２は、それらの上端同士を上に凸の円弧部によってつなぐとともに、それらの下端同士の下に凸の円弧部によってつなぎ、結果として平坦部３１に容器高さ方向に沿う長円状の小平坦部１０３を区画する。小平坦部１０３は、凸条部１０１と副凸条部１０２の間で、容器本体部２０の外方に対して若干の凹面状をなしても良い。凸条部１０１と副凸条部１０２は、それぞれ一定幅をもつ狭幅帯状をなし、小平坦部１０３の周囲で一定幅の傾斜面を形成しても良い。
【００５９】
また、ボトル容器１００において、上端起立部１１１は、第１側面２１及び第２側面２２に形成されるとともに、第３側面２３及び第４側面２４の一部にも形成され、容器本体部２０の側面視で、容器本体部２０の側面（２１、２２）の中央を挟む両側に線対称をなすように設けられる。手６０の第１指及び第２指を含む上縁部６１が当接し得る上端起立部１１１はなだらかな上に凸の湾曲状をなしており、中央に位置する小平坦部１０３に跨る部分の傾斜角度θ１を小さくすることによって、第１側面２１及び第２側面２２の上端起立部における手指の引っかかりを更に良好にでき、ボトル容器１００の持ち上げ易くできる。
【００６０】
また、ボトル容器１００において、下端起立部１１２は、第１側面２１及び第２側面２２に形成されるとともに、第３側面２３に形成され、容器本体部２０の側面視で、容器本体部２０の側面（２１、２２）の中央を挟む両側に線対称をなすように設けられる。下端起立部１１２は容器本体部２０の底部２０Ｂ寄りに移行して設けられている。
【００６１】
実施例４のボトル容器１００において、凸条部１０１、副凸条部１０２、上端起立部１１１は実施例１のボトル容器１０における凸条部４１、副凸条部４２、上端起立部３３と同様に機能する。そして、ボトル容器１００にあっては、ボトル容器１０における前述(a)〜(g)の作用効果を奏する。
【産業上の利用可能性】
【００６２】
本発明によれば、大容量で重量の重いボトル容器でも、手の大きさや指の長さに関係なく、持ち易さと注ぎ易さを向上することができる。
【符号の説明】
【００６３】
１０、１００  ボトル容器
２０  容器本体部
２０Ａ  上面
２０Ｂ  底面
２１  第１側面
２１Ａ  上凸部
２１Ｂ  下凸部
２２  第２側面
２２Ａ  上凸部
２２Ｂ  下凸部
２３  第３側面
２３Ａ  上凸部
２３Ｂ  下凸部
３０  把持部
３０Ａ  凹部
３１  平坦部
３２  曲面部
３２Ａ  曲面中央部
３３、１１１  上端起立部
３４、１１２  下端起立部
４１、１０１  凸条部
４２、１０２  副凸条部
５０  注出口部
５１  注出筒
５１Ａ  開口
６０  手
６１  手の上縁部
６２  手の下縁部
１０３  小平坦部
【図１】
0005481188.tif 000002
【図２】
0005481188.tif 000003
【図３】
0005481188.tif 000004
【図４】
0005481188.tif 000005
【図５】
0005481188.tif 000006
【図６】
0005481188.tif 000007
【図７】
0005481188.tif 000008
【図８】
0005481188.tif 000009
【図９】
0005481188.tif 000010
【図１０】
0005481188.tif 000011
【図１１】
0005481188.tif 000012
【図１２】
0005481188.tif 000013
【図１３】
0005481188.tif 000014
【図１４】
0005481188.tif 000015
【図１５】
0005481188.tif 000016
【図１６】
0005481188.tif 000017